(57)【要約】【課題】ファクシミリデータなどの送信中に装置のそばにいなくても、送信状況を把握できる通信装置およびファクシミリ装置を提供すること。【解決手段】ファクシミリ装置１が公衆電話回線網１００を介して相手側ファクシミリ装置２へ発呼してから、ファクシミリ装置２から該発呼に対する応答を受信するまでにＮＣＵ５５に入力する信号音の周波数をモデム５４により検出し、この周波数により信号音の種類を特定する。さらに、信号音種類と該信号音に対応した色とが設定された発光テーブル５３ａを参照して、信号音種類に応じた色でバックライト部５６を発光させる。【選択図】図３
2004304299.tif 000002
【特許請求の範囲】
【請求項１】
公衆電話回線網を介して相手側通信装置との間で通信するための通信手段と、
操作者による操作部からの入力に従って前記相手側通信装置へ発呼してから、相手側通信装置から該発呼に対する応答を受信するまでの前記通信手段の通信状態を検出する第１検出手段と、
視覚によって識別可能な複数の発光状態を取り得る発光手段と、
前記第１検出手段が検出した通信状態に応じた発光状態で発光手段を発光させる第１制御手段と、
を備えたことを特徴とする通信装置。
【請求項２】
前記第１検出手段は、前記通信状態を連続的に監視するように構成され、
前記第１制御手段は、前記通信状態に応じて、前記発光手段の発光状態をリアルタイムで変化させることを特徴とする請求項１に記載の通信装置。
【請求項３】
前記第１検出手段は、該通信手段に入力する信号音を検出して、該信号音の種類を判別し、
第１制御手段は、前記第１検出手段が検出した信号音種類に応じた発光状態で発光手段を発光させること、
ことを特徴とする請求項１または請求項２に記載の通信装置。
【請求項４】
該通信手段に入力する信号音を検出して、該信号音のレベルを判別する第２検出手段と、
前記制御手段は、前記第２検出手段が検出した信号音レベルに応じた発光状態で発光手段を発光させる第２制御手段と、
を備えたことを特徴とする請求項１〜請求項３何れかに記載の通信装置。
【請求項５】
前記通信手段に入力するＤＴＭＦ信号音の低群または高群の少なくとも一方を検出して該ＤＴＭＦ信号音の種類を判別する第３検出手段と、
前記第３検出手段が検出した前記ＤＴＭＦ信号音種類に応じた発光状態で発光手段を発光させる第３制御手段と、
を備えたことを特徴とする請求項１〜請求項４何れかに記載の通信装置。
【請求項６】
前記第１検出手段は、前記通信手段に入力する信号音の周波数を検出することにより該信号音の種類を判別することを特徴とする請求項３に記載の通信装置。
【請求項７】
前記第３検出手段は、前記通信手段に入力する前記ＤＴＭＦ信号音の周波数を検出することにより該ＤＴＭＦ信号音種類を判別することを特徴とする請求項５に記載の通信装置。
【請求項８】
前記発光手段は、視覚によって識別可能な複数の色状態を取ることが可能に構成され、
前記第１制御手段は、前記第１検出手段が検出した信号音種類に応じた色状態で発光手段を発光させる、
ことを特徴とする請求項３または請求項６に記載の通信装置。
【請求項９】
前記発光手段は、視覚によって識別可能な複数の輝度状態を取ることが可能に構成され、
前記第１制御手段は、前記第１検出手段が検出した信号音種類に応じた輝度状態で発光手段を発光させる、
ことを特徴とする請求項３または請求項６に記載の通信装置。
【請求項１０】
前記発光手段は、視覚によって識別可能な複数の色状態を取ることが可能に構成され、
前記第２制御手段は、前記第２検出手段が検出した信号音レベルに応じた色状態で発光手段を発光させる、
ことを特徴とする請求項４に記載の通信装置。
【請求項１１】
前記発光手段は、視覚によって識別可能な複数の輝度状態を取ることが可能に構成され、
前記第２制御手段は、前記第２検出手段が検出した信号音レベルに応じた輝度状態で発光手段を発光させる、
ことを特徴とする請求項４に記載の通信装置。
【請求項１２】
前記通信状態と、該通信状態に対応した発光状態とが記載された内容を用紙に印刷する印刷手段を備えることを特徴とする請求項１〜請求項１１何れかに記載の通信装置。
【請求項１３】
操作者の操作によって、前記通信状態に対応した発光状態を設定する設定情報を入力するための設定入力手段を備え、
前記第１制御手段は、前記設定入力手段から前記設定情報が入力されると、前記設定情報に応じて、前記通信状態に対応した発光状態を変更する、
ことを特徴とする請求項１〜請求項１２何れかに記載の通信装置。
【請求項１４】
前記公衆電話回線網を介して相手側ファクシミリ装置との間でファクシミリデータを通信するためのファクシミリ通信手段と、
前記相手側ファクシミリ装置との間で前記ファクシミリデータを通信しているときの前記ファクシミリ通信手段の通信状態を検出する第４検出手段と、
視覚によって識別可能な複数の発光状態を取り得る発光手段と、
前記第４検出手段が検出した前記通信状態に応じた発光状態で前記発光手段を発光させる第４制御手段と、
を備えたことを特徴とするファクシミリ装置。
【請求項１５】
前記第４検出手段は、前記ファクシミリデータを通信しているときの、前記ファクシミリデータにより表される画像の解像度を検出し、
前記第４制御手段は、前記第４検出手段が検出した前記解像度に応じた発光状態で前記発光手段を発光させる、
ことを特徴とする請求項１４に記載のファクシミリ装置。
【請求項１６】
前記第４検出手段は、前記ファクシミリデータを通信しているときの、前記ファクシミリデータの通信速度を検出し、
前記第４制御手段は、前記第４検出手段が検出した前記通信速度に応じた発光状態で前記発光手段を発光させる、
ことを特徴とする請求項１４または請求項１５に記載のファクシミリ装置。
【請求項１７】
前記通信状態と、該通信状態に対応した発光状態とが記載された内容を用紙に印刷する印刷手段を備えることを特徴とする請求項１６に記載の通信装置。
【請求項１８】
操作者の操作によって、前記通信状態に対応した発光状態を設定する設定情報を入力するための設定入力手段を備え、
前記第１制御手段は、前記設定入力手段から前記設定情報が入力されると、前記設定情報に応じて、前記通信状態に対応した発光状態を変更する、
ことを特徴とする請求項１６または請求項１７に記載の通信装置。
【発明の詳細な説明】
【０００１】
【発明の属する技術分野】
本発明は、液晶ディスプレイなどの表示手段を具備するファクシミリ装置などの通信装置に関する。
【０００２】
【従来の技術】
電話機やファクシミリ装置等の通話機能を備えた装置において、着信があった際に周囲が騒がしいと、使用者が着信音を聞き取れない場合がある。このような場合に、着信音の種類に対応して、表示部に表示される画像の色彩をかえることにより、周囲が騒がしいときにも着信があることを認識できるようにした技術がある。（例えば、特許文献１参照。）。
【０００３】
【特許文献１】
特開２００１−２３７９２２号公報  （第３頁）
【０００４】
【発明が解決しようとする課題】
しかし、ファクシミリデータを送信する際には文字や画像により送信の状況を表示しているのが一般的であり、ファクシミリデータを送信する使用者は、ファクシミリ送信の間ずっとファクシミリ装置のそばにいて送信状況を把握していなければならないために、他の作業を暫くできなくなるという問題があった。
【０００５】
本発明は、上記問題を解決するためになされたもので、データ送信中にそばにいなくても、送信状況を把握できる通信装置およびファクシミリ装置を提供することを目的とする。
【０００６】
【課題を解決するための手段および発明の効果】
上記問題を解決するため請求項１に記載の通信装置は、公衆電話回線網を介して相手側通信装置との間で通信するための通信手段と、操作者による操作部からの入力に従って前記相手側通信装置へ発呼してから、相手側通信装置から該発呼に対する応答を受信するまでの前記通信手段の通信状態を検出する第１検出手段と、視覚によって識別可能な複数の発光状態を取り得る発光手段と、前記第１検出手段が検出した通信状態に応じた発光状態で発光手段を発光させる第１制御手段と、を備えたことを特徴とする。
【０００７】
このように構成された通信装置によれば、相手側通信装置へ発呼してから、相手側通信装置から該発呼に対する応答を受信するまでの通信手段の通信状態を検出し、その通信状態に応じて、視覚によって識別可能な複数の発光状態で発光手段が発光する。
【０００８】
このため、通信装置の利用者は、通信装置のそばにいなくても通信装置が見える位置にいれば、発光手段の発光状態によって、相手側通信装置へ発呼してから相手側通信装置から応答を受信するまでの通信状態を把握できる。
なお、請求項１に記載の通信装置においては、第１検出手段が通信手段の通信状態を所定時間毎（例えば３秒毎）に検出して、その通信状態に応じて発光手段を発光させてもよいが、更に請求項２に記載のように、前記第１検出手段は、前記通信状態を連続的に監視するように構成され、前記第１制御手段は、前記通信状態に応じて、前記発光手段の発光状態をリアルタイムで変化させる、ようにしてもよい。
【０００９】
このように構成された通信装置によれば、通信状態を連続的に監視し、その通信状態に応じて発光手段の発光状態がリアルタイムで変化することから、現在の通信状態を遅れることなく把握できる。
また、請求項１または請求項２に記載の通信装置においては、「相手側通信装置へ発呼」，「相手側通信装置から応答を受信」等の通信状態に関するデータを、通信を制御する手段から取得して、そのデータに応じて発光手段の発光状態を変化させるようにしてもよいが、このような機能を後付けで備えるようにするには、通信手段を制御するプログラムを変更し、前記データを取得できるようにする必要がある。
【００１０】
このようなことから、請求項３に記載のように、前記第１検出手段は、該通信手段に入力する信号音を検出して、該信号音の種類を判別し、第１制御手段は、前記第１検出手段が検出した信号音種類に応じた発光状態で発光手段を発光させる、ようにしてもよい。
【００１１】
このように構成された通信装置によれば、通信手段に入力する信号音を検出して、検出した信号音種類に応じた発光状態で発光手段が発光するため、通信手段に入力する信号音を検出する手段を後付けすればよい。即ち、通信状態に応じて発光手段を発光させる機能を、後付けの場合でも比較的簡便に実現できる。
【００１２】
また、請求項１〜請求項３何れかに記載の通信装置においては、更に請求項４に記載のように、該通信手段に入力する信号音を検出して、該信号音のレベルを判別する第２検出手段と、前記第２検出手段が検出した信号音レベルに応じた発光状態で発光手段を発光させる第２制御手段とを備える、ようにしてもよい。
【００１３】
このように構成された通信装置によれば、通信手段に入力する信号音のレベルに応じた発光状態で発光手段が発光するため、通信装置の利用者は良好なレベルの信号音により通信が行われているか否かを把握できる。
また、プッシュ回線を用いて通信する通信装置においては、ＤＴＭＦ信号音低群とＤＴＭＦ信号音高群を組み合わせることで電話番号情報を公衆電話回線網へ送出している。その時の信号音は送受話器から出力されるので、電話番号の情報が送出されていることを通信装置の利用者は把握できる。ところが、周囲が騒がしいと、この信号音が聞き取れないことがある。
【００１４】
そこで、請求項１〜請求項４何れかに記載の通信装置においては、更に請求項５に記載のように、前記通信手段に入力するＤＴＭＦ信号音の低群または高群の少なくとも一方を検出して該ＤＴＭＦ信号音の種類を判別する第３検出手段と、前記第３検出手段が検出した前記ＤＴＭＦ信号音種類に応じた発光状態で発光手段を発光させる第３制御手段とを備える、ようにするとよい。
【００１５】
このように構成された通信装置によれば、通信手段に入力するＤＴＭＦ信号音種類に応じた発光状態で発光手段が発光するため、周囲が騒がしいときでも電話番号情報が公衆電話回線網へ送出されていることを把握できる。
また、公衆電話回線網を介して通信するために用いる信号音の中で、交換機トーン信号，ファックスＣＮＧ信号，ファックスＣＥＤ信号は周波数により区別できるので、請求項３に記載の通信装置においては、更に請求項６に記載のように、前記第１検出手段は、前記通信手段に入力する信号音の周波数を検出することにより該信号音の種類を判別する、ようにしてもよい。
【００１６】
このように構成された通信装置によれば、通信手段に入力する信号音の周波数を検出することにより信号音の種類を判別するため、交換機トーン信号，ファックスＣＮＧ信号，ファックスＣＥＤ信号を判別できる。
さらに、ＤＴＭＦ信号音の種類は周波数により区別できるので、請求項５に記載の通信装置においては、更に請求項７に記載のように、前記第３検出手段は、前記通信手段に入力する前記ＤＴＭＦ信号音の周波数を検出することにより該ＤＴＭＦ信号音種類を判別する、ようにするとよい。
【００１７】
このように構成された通信装置によれば、通信手段に入力するＤＴＭＦ信号音の周波数を検出するため、ＤＴＭＦ信号音の種類を判別できる。
また、本発明のように発光手段を用いて通信状態を報知するには、発光手段を点滅させ、その点滅時の点滅パターン（点灯間隔、点灯時間、消灯時間等）を通信状態に応じて変化させるようにしてもよい。しかし、発光手段の点滅だけでは、利用者は通信状態を把握し難く、また、利用者が把握し得る通信状態の種類も少ない。
【００１８】
そこで、請求項３または請求項６に記載の通信装置においては、請求項８に記載のように、前記発光手段は、視覚によって識別可能な複数の色状態を取ることが可能に構成され、前記第１制御手段は、前記第１検出手段が検出した信号音種類に応じた色状態で発光手段を発光させるようにするか、或いは、請求項９に記載のように、前記発光手段は、視覚によって識別可能な複数の輝度状態を取ることが可能に構成され、前記第１制御手段は、前記第１検出手段が検出した信号音種類に応じた輝度状態で発光手段を発光させるようにするとよい。
【００１９】
つまり、このようにすれば、発光手段を発光させる際に、信号音の種類に応じて発光手段が発光する色若しくは輝度を変化させることができるので、利用者は、その発光手段の発光状態から、信号音の種類（延いては通信手段の通信状態）を容易に把握することができるようになり、しかも、発光手段が発光する色や輝度の変化は利用者にとって識別し易いことから、発光手段の発光によって利用者が識別可能な信号音の種類（延いては通信手段の通信状態）を多くすることができる。
【００２０】
なお、請求項８及び請求項９に記載の技術は、それぞれ単独で実施してもよいが、これらの技術を組み合わせて、信号音の種類に応じて発光手段を発光させる際の色及び輝度を共に変化させるようにすれば、利用者は、その発光状態から信号音の種類（延いては通信手段の通信状態）をより簡単に把握することができるようになる。
【００２１】
また同様に、請求項４に記載の通信装置においては、請求項１０に記載のように、前記発光手段は、視覚によって識別可能な複数の色状態を取ることが可能に構成され、前記第２制御手段は、前記第２検出手段が検出した信号音レベルに応じた色状態で発光手段を発光させるようにするか、或いは、請求項１１に記載のように、前記発光手段は、視覚によって識別可能な複数の輝度状態を取ることが可能に構成され、前記第２制御手段は、前記第２検出手段が検出した信号音レベルに応じた輝度状態で発光手段を発光させるようにするとよい。
【００２２】
そして、このようにすれば、利用者は、発光手段の発光状態から、信号音レベル（延いては通信手段の通信状態）を容易に把握することができるようになり、しかも、発光手段の発光によって利用者が識別可能な信号音レベル（延いては通信手段の通信状態）を多くすることができる。
【００２３】
また、請求項１〜請求項１１何れかに記載の通信装置においては、更に請求項１２に記載のように、前記通信状態と、該通信状態に対応した発光状態とが記載された内容を用紙に印刷する印刷手段を備える、ようにしてもよい。
このように構成された通信装置によれば、通信状態と該通信状態に対応した発光状態とが記載された内容を用紙に印刷することができるため、通信装置の利用者は、用紙に印刷された通信状態に応じた発光状態の内容を参照して、発光状態から通信状態を把握できる。
【００２４】
また、請求項１〜請求項１２何れかに記載の通信装置においては、更に請求項１３に記載のように、操作者の操作によって、前記通信状態に対応した発光状態を設定する設定情報を入力するための設定入力手段を備え、前記第１制御手段は、前記設定入力手段から前記設定情報が入力されると、前記設定情報に応じて、前記通信状態に対応した発光状態を変更する、ようにしてもよい。
【００２５】
このように構成された通信装置によれば、操作者の操作によって、通信状態に対応した発光状態を設定する設定情報が設定入力手段から入力されると、設定情報に応じて通信状態に対応した発光状態が変更されるため、通信状態と発光状態の対応を、利用者が把握しやすいように、または利用者の好みに応じて変更できる。
【００２６】
また、請求項１４に記載のファクシミリ装置は、前記公衆電話回線網を介して相手側ファクシミリ装置との間でファクシミリデータを通信するためのファクシミリ通信手段と、前記相手側ファクシミリ装置との間で前記ファクシミリデータを通信しているときの前記ファクシミリ通信手段の通信状態を検出する第４検出手段と、視覚によって識別可能な複数の発光状態を取り得る発光手段と、前記第４検出手段が検出した前記通信状態に応じた発光状態で前記発光手段を発光させる第４制御手段と、を備えたことを特徴とする。
【００２７】
このように構成された通信装置によれば、相手側ファクシミリ装置との間でファクシミリデータを通信しているときのファクシミリ通信手段の通信状態に応じた発光状態で発光手段が発光するため、通信装置の利用者は、通信装置のそばにいなくても通信装置が見える位置にいれば、発光手段の発光状態によって、ファクシミリデータを通信しているときの通信状態を把握できる。
【００２８】
また、請求項１４に記載のファクシミリ装置においては、更に請求項１５に記載のように、前記第４検出手段は、前記ファクシミリデータを通信しているときの、前記ファクシミリデータにより表される画像の解像度を検出し、前記第４制御手段は、前記第４検出手段が検出した前記解像度に応じた発光状態で前記発光手段を発光させる、ようにしてもよい。
【００２９】
このように構成されたファクシミリ装置によれば、第４検出手段が検出した解像度に応じた発光状態で発光手段が発光するため、ファクシミリ装置の利用者は、ファクシミリデータを通信しているときの解像度を把握できる。
また、請求項１４または請求項１５に記載のファクシミリ装置においては、更に請求項１６に記載のように、前記第４検出手段は、前記ファクシミリデータを通信しているときの、前記ファクシミリデータの通信速度を検出し、前記第４制御手段は、前記第４検出手段が検出した前記通信速度に応じた発光状態で前記発光手段を発光させる、ようにしてもよい。
【００３０】
このように構成されたファクシミリ装置によれば、第４検出手段が検出した通信速度に応じた発光状態で発光手段が発光するため、ファクシミリ装置の利用者は、ファクシミリデータを通信しているときの通信速度を把握できる。
また、請求項１６に記載のファクシミリ装置においては、更に請求項１７に記載のように、前記通信状態と、該通信状態に対応した発光状態とが記載された内容を用紙に印刷する印刷手段を備える、ようにしてもよい。
【００３１】
このように構成されたファクシミリ装置によれば、該通信状態に対応した発光状態とが記載された内容を用紙に印刷することができるため、ファクシミリ装置の利用者は、用紙に印刷された通信状態に応じた発光状態の内容を参照して、発光状態から通信状態を把握できる。
【００３２】
また、請求項１４〜請求項１７何れかに記載のファクシミリ装置においては、更に請求項１８に記載のように、操作者の操作によって、前記通信状態に対応した発光状態を設定する設定情報を入力するための設定入力手段を備え、前記第１制御手段は、前記設定入力手段から前記設定情報が入力されると、前記設定情報に応じて、前記通信状態に対応した発光状態を変更する、ようにしてもよい。
【００３３】
このように構成されたファクシミリ装置によれば、操作者の操作によって、通信状態に対応した発光状態を設定する設定情報が設定入力手段から入力されると、設定情報に応じて通信状態に対応した発光状態が変更されるため、通信状態と発光状態の対応を、利用者が把握しやすいように、または利用者の好みに応じて変更できる。
【００３４】
【発明の実施の形態】
（実施の形態）
以下、ファクシミリ装置に本発明の通信装置としての構成を適用したものを本発明の実施の形態として説明する。
【００３５】
図１はファクシミリ装置１の外部構成を表す概略斜視図、図２はファクシミリ装置１の内部構成を表す説明図である。
ファクシミリ装置１には、図１に示すように、その本体ケース１０の側部に、ハンドセット（Ｈ／Ｓ）１１が取り付けられ、上面の前部に、操作パネル１２が設けられている。尚、この操作パネル１２には、相手側の電話番号（ＦＡＸ番号）を入力するための数字キー１２１や、スタートキー１２２、停止キー１２３、選択キー１２４などの各種操作キー１２０と、各種機能に関連する情報を表示するための液晶ディスプレイ（ＬＣＤ）１２５と、が備えられている。
【００３６】
この他、本体の上部後部には、装置内に供給する記録紙を収容するための第一給紙トレイ１３が設けられ、その上には記録紙を載置するためのものであって利用者による手差しで記録紙を供給するための第二給紙トレイ１４が設けられている。更に、その上には、読取用の原稿用紙を載置するための原稿用給紙トレイ１５が設けられている。
【００３７】
また、ファクシミリ装置１には、図２に示すように、原稿から画像を読み取るためのスキャナ部１６、記録紙に画像を形成するための記録部１７、及び、これらの各部の駆動を制御するＣＰＵ１８（図３参照）を搭載する基板（図示せず）、などが内蔵されている。
【００３８】
スキャナ部１６では、原稿用給紙トレイ１５に載置された原稿が、原稿センサ（図示せず）により検出され、図２の矢印Ａにて示すように、給紙ローラ１９及び分離パッド２０等からなる給紙機能によって一枚ずつ取り込まれ、この後に、搬送ローラ２１により読取装置２２まで搬送される。そして、読取装置２２では、原稿上に形成されている画像が読み取られる。また、読取装置２２による画像読取後の原稿は、排紙ローラ２３を介して前方に設けられた第一排紙トレイ２４に排出される。
【００３９】
尚、このスキャナ部１６には、上記原稿センサの他に、原稿の先頭を検出する原稿フロントセンサ２５と、原稿の後端を検出する原稿リアセンサ２６と、が設けられており、ＣＰＵ１８は、これらのセンサからの検出結果に基づき、スキャナ部１６内の各部を制御して紙送りを調整し、上記スキャナ部１６の動作を実現する。
【００４０】
一方、記録部１７では、第一給紙トレイ１３あるいは第二給紙トレイ１４に載置された記録紙が、図２の矢印Ｂにて示すように、給紙ローラ２７及び分離パッド２８等からなる給紙機構によって一枚ずつ取り込まれる。そして、記録紙は、搬送ローラ２９を介して画像形成装置３０に送られる。画像形成装置３０では、記録紙上に画像が形成される。また、画像形成装置通過後の記録紙は、下流側の定着装置３１に送られる。そして、この定着装置３１では、トナーによる画像が記録紙上に定着される。更に定着装置通過後の記録紙は、排紙ローラ３２を介して、本体の前面に設けられた第二排紙トレイ３３に排出される。
【００４１】
尚、上記画像形成装置３０は、レーザ光走査装置３４を動作させて感光ドラムにレーザ光を照射し、その表面に静電潜像を形成する構成にされている。このレーザ光走査装置３４は、ＣＰＵ１８からの指令に従って、イメージデータに基づくレーザ光を発射するレーザ発光部３７と、レーザ光反射用のレンズ３８、及びレンズ３８に反射されたレーザ光を感光ドラムに導く反射ミラー３９等を備えている。この他、画像形成装置３０は、トナーを貯留するトナータンク３５を備えており、静電潜像形成後の感光ドラムにトナータンク３５から供給されたトナーを付着させ、転写ローラ３６により、記録紙に電荷を付与して感光ドラムに付着したトナーを記録紙に転写する構成にされている。ただし、図２に示す画像形成装置３０の構成図は、画像形成装置３０の機能を説明するための模式図である。つまり本実施例の画像形成装置３０は、トナー像を形成可能な周知の画像形成装置としての構成を有している。
【００４２】
次に、ファクシミリ装置１の電気的構成について図３を用いて説明する。尚、図３は、実施の形態におけるファクシミリ装置１の電気的構成を表すブロック図である。
ファクシミリ装置１は、電話回線網１００を介して音声通話を実現する機能、および、電話回線網１００を介して画像の送受信を行う機能などを有している。
【００４３】
このファクシミリ装置１は、図３に示すように、ＣＰＵ１８，ＲＯＭ５１，ＲＡＭ５２，Ｅ２ＰＲＯＭ５３，スキャナ部１６，記録部１７，モデム５４，ネットワークコントロールユニット（ＮＣＵ）５５，操作パネル１２，ＬＣＤ１２５，バックライト部５６，ハンドセット１１，音声入出力部５７，クロスポイントスイッチ５８と、これらを接続するバス５９を備えている。
【００４４】
ＣＰＵ１８は、あらかじめＲＯＭ５１に記憶されている処理手順に従い、処理結果をＲＡＭ５２に記憶させながら、ファクシミリ装置１の各構成要素にバス５９経由で指令を送ることによって、ファクシミリ装置１全体の動作を制御する。尚、ＲＯＭ５１内には、当該装置をファクシミリ装置として動作させるために必要なファクシミリ機能用プログラムなどが記憶されている。この他、ＲＯＭ５１内には、各種プログラム、そのプログラム実行時に必要な各種データが予め記憶されている。
【００４５】
また、ＲＡＭ５２は、各種制御を行う際に必要なワークメモリの領域，送受信するファクシミリデータ等を記憶するメモリの領域，発信先の電話番号を表すダイヤルデータを格納するダイヤルバッファの領域，各種フラグを格納する領域などを有する。
【００４６】
Ｅ２ＰＲＯＭ５３は、電力が供給されない状態でも記憶されたデータを保持可能な不揮発性メモリであり、バックライト部５６の発光状態を設定するために用いる発光テーブル５３ａや利用者が任意に変更する各種設定データの記憶領域が確保されている。
【００４７】
スキャナ部１６は、ＣＰＵ１８からの指令を受けて、所定の読取位置（図示されない）にセットされた用紙から画像の読み取り行うと共に、この画像のイメージデータを生成する。
記録部１７は、ＣＰＵ１８からの指令を受けて、所定の給紙位置（図示されない）にセットされた用紙への画像の印刷（印字）を行う。
【００４８】
モデム５４は、ＣＰＵ１８からの指令を受けて、スキャナ部１６で生成されたイメージデータを変調して電話回線網１００を伝送可能な画像信号を生成したり、電話回線網１００からＮＣＵ５５を介して入力された画像信号を復調してイメージデータを生成したり、入力した信号音の周波数を検出する。
【００４９】
ＮＣＵ５５は、公衆電話回線網１００に対するダイヤル信号の送出や、公衆電話回線網１００からの呼出信号に対する応答等の動作を行うものであり、例えば、公衆電話回線網１００を介して自身を外部のファクシミリ装置２に通信可能に接続する。尚、ＮＣＵ５５に入出力する信号の電流の大きさを検出する回線電流検出部６０が、ＮＣＵ５５内に取り付けられている。
【００５０】
操作パネル１２は、数字キー１２１、スタートキー１２２、停止キー１２３、選択キー１２４などからなり、利用者の操作に従って、各種処理操作を行うための指令信号を装置内（ＣＰＵ１８など）に入力する構成にされている。尚、発光テーブル５３ｂの印刷を開始するための操作が操作キー１２４により行われた場合にはＣＰＵ１８に発光テーブル印刷指令を出力する。また、発光テーブル５３ｂの設定変更を開始・完了するための操作が行われた時には、夫々発光テーブル設定開始指令・発光テーブル設定完了指令をＣＰＵ１８に出力する。
【００５１】
ＬＣＤ１２５は、利用者に操作手順を案内するメッセージやエラーメッセージ等の各種情報を表示するための表示手段として設けられている。
バックライト部５６は、光源としての赤色ＬＥＤ５６ａ，緑色ＬＥＤ５６ｂ，青色ＬＥＤ５６ｃおよびこれらを駆動する駆動回路５６ｄで構成され、ＬＣＤ１２５を背面から照明する。そして、各色ＬＥＤの発光の組み合わせで、様々な色を表現することができる。
【００５２】
ハンドセット１１は、ファクシミリ装置１本体から取り外して使用する送受話器である。
また、音声入出力部５７は、スピーカ５７ａ、マイク５７ｂおよびこれらを駆動する駆動回路５７ｃで構成され、スピーカ５７ａから音声信号に基づく音声を出力する以外に、スピーカ５７ａおよびマイク５７ｂを送受話器として、いわゆるハンズフリー通話を行うために使用することもできる。
【００５３】
クロスポイントスイッチ５８は、ＣＰＵ１８の制御により、モデム５４，ＮＣＵ５５，ハンドセット１１，音声入出力部５７の間のアナログ信号伝送経路の切り替えを行うスイッチであり、ハンドセット１１をファクシミリ装置１本体から取り外す操作（オフフック操作）が行われた際には、ＮＣＵ５５からハンドセット１１へ向かう経路が伝送経路として設定され、音声信号はこの経路により伝送可能な状態となる。こうして設定された伝送経路は、ハンドセット１１をファクシミリ装置１本体に戻す操作（オンフック操作）が行われた際に解除され、音声信号はこの経路により伝送されない状態となる。
【００５４】
また、画像を送信（ＦＡＸ送信）するために操作パネル１２のスタートキー１２２を押す操作が行われた、または、画像信号を受信した際に、ＮＣＵ５５からモデム５４へ向かう経路が上述の伝送経路として設定され、画像信号はこの経路により伝送可能な状態となる。この設定された伝送経路はモデム５４による画像信号の出力が終了、または、電話回線網１００からの画像信号の入力が終了した際に解除され、画像信号はこの経路により伝送されない状態となる。
【００５５】
また、操作パネル１２によりハンズフリー通話を開始するための操作が行われた場合は、ＮＣＵ５５から音声入出力部５７へ向かう経路が伝送経路として設定される。
次に、ＮＣＵ５５と回線電流検出部６０の構成について図４を用いて説明する。図４はＮＣＵ５５の構成を表す回路図である。
【００５６】
このＮＣＵ５５は、図４に示すように、電話回線を切り換えるためのリレー７１と、電話回線から信号を取り込むためのトランス７２，７６と、信号を増幅するためのアンプ７３，７４と、信号を取り出すためのコンデンサ７５と、ダイヤルパルスを送出するためのダイヤルパルス送出回路７７と、電話回線と接続するためのモジュラコネクタ７８とから構成されている。
【００５７】
リレー７１は通常、図４中実線で示すＡの位置にあり、電話回線からの信号はＣＰＵ１８に送られる。一方、ハンドセット１１のオフフック操作や操作パネル１２によりＦＡＸ送信するための操作などが行われた際には、リレー７１は、図４中点線で示すＢの位置に切り換るように構成され、電話回線からの信号はクロスポイントスイッチ５８に送られる。
【００５８】
例えば、モジュラコネクタ７８を介して公衆電話回線網１００から呼出信号が入力すると、リレー７１は図４中実線で示すＡの位置にあるために呼出信号がＣＰＵ１８に入力し、着信が検出される。
その後、ハンドセット１１をファクシミリ装置１本体から取り外す操作（オフフック操作）が行われると、リレー７１は図４中点線で示すＢの位置に切り換わるために、公衆電話回線網１００からＮＣＵ５５に入力する受信信号はクロスポイントスイッチ５８に送られ、クロスポイントスイッチ５８からＮＣＵ５５に入力する送信信号は公衆電話回線網１００に送られる。上述したように、クロスポイントスイッチ５８は、ハンドセット１１のオフフック操作が行われた際には、ＮＣＵ５５からハンドセット１１へ向かう経路が伝送経路として設定されるので、ハンドセット１１と公衆電話回線網１００との間で受信信号と送信信号が伝送され、通話が可能になる。
【００５９】
回線電流検出部６０は、図４に示すように、モジュラコネクタ７８とリレー７１との間の経路上に取り付けられ、この経路を通る信号の電流の大きさを検出する。回線電流検出部６０はＣＰＵ１８に接続されており、電流の大きさを表す信号がＣＰＵ１８に入力される。
【００６０】
次に、バックライト部５６を発光させる処理の概要を図５に基づいて説明する。図５はＦＡＸ送信時のＬＣＤ１２５の表示とバックライト部５６の発光状態を示す図である。
待機時のＬＣＤ１２５は現在時刻を表示し（Ｃ０１）、バックライト部５６はＯＦＦになっている（Ｃ４１）。そして、原稿を１枚セットすると、ＬＣＤ１２５は「ダイヤルしてください」と表示し（Ｃ０２）、次に、数字キー１２１から送信先の回線番号をダイヤル入力すると、入力した数字がＬＣＤ１２５に表示される（Ｃ０３）。
【００６１】
そして、ダイヤル入力した後にスタートキー１２２を押し下げると、リレー７１は図４中点線で示すＢの位置に切り換るため、公衆電話回線網１００からダイヤルトーンが入力される（Ｃ２１）。この時ＬＣＤ１２５は「ダイヤル中」と表示し（Ｃ０４）、バックライト部５６はトーン信号に対応した色で発色する（Ｃ４２）。
【００６２】
そして、送信先の回線番号に対応するＤＴＭＦ信号音がモデム５４から公衆電話回線網１００へ送出される（Ｃ２２）と、ＬＣＤ１２５は「ダイヤル中」の表示を継続し（Ｃ０５）、バックライト部５６はＤＴＭＦ信号音に対応した色で発色する（Ｃ４３）。
【００６３】
そして、ＤＴＭＦ信号音の送出が終了すると、次に、送信先のファクシミリ装置２を呼び出すためのＣＮＧ信号音がモデム５４から電話回線へ送出される（Ｃ２３）と、ＬＣＤ１２５は「ファックス送信中」の表示に変わる（Ｃ０６）。ＣＮＧ信号音が送出されると、電話回線からリングバックトーンが入力し、ＣＮＧ信号音とリングバックトーンが重なった状態になるために（Ｃ２３〜Ｃ２６）、ＣＮＧ信号音に対応した色とトーン信号に対応した色で０．２秒間隔で交互に発色する（Ｃ４４〜Ｃ４７）。
【００６４】
ＣＮＧ信号音の送出を続け、送信先のファクシミリ装置２がこのＣＮＧ信号音を検知すると、電話回線は無音状態になる（Ｃ２７）。この時バックライト部５６はＯＦＦになる（Ｃ４８）。無音状態を検出すると、モデム５４はＣＮＧ信号音を電話回線へ無音状態を挟んで２回送出するために（Ｃ２８〜Ｃ３０）、バックライト部５６はＣＮＧ信号音に対応した色で発色した（Ｃ４９）後に再びＯＦＦになり（Ｃ５０）、さらにＣＮＧ信号音に対応した色で発色する（Ｃ５１）。
【００６５】
送信先のファクシミリ装置２がこのＣＮＧ信号音を２回検出すると、ファックスが送信されてくると判断し、ＣＥＤ信号を送出することによりファクシミリ装置１に応答する。そして、ファクシミリ装置１にこのＣＥＤ信号が入力すると、ＬＣＤ１２５は「ファックス送信中」と表示し（Ｃ０７）、バックライト部５６はＣＥＤ信号音に対応した色で発色する（Ｃ５２）。
【００６６】
ＣＥＤ信号が入力すると、ファクシミリ装置１は送信先のファクシミリ装置とネゴシエーションを行い、ファックス読み取り解像度を決定する（図５ではファインと決定）。この時点で、ＬＣＤ１２５は「ファックス送信中０１ページ」と表示し（Ｃ０８）、バックライト部５６はファインの解像度に対応した色で発色する（Ｃ５３）。その後、ＦＡＸ送信中はＦＡＸ送信が終了するまで、ＦＡＸ通信速度に対応した色で発色する（図５では１４４００ｂｐｓ）（Ｃ５４）。
【００６７】
そして、ＦＡＸ送信が終了すると、ＬＣＤ１２５は「ファックス送信終了」と表示し（Ｃ０９）、バックライト部５６はＯＦＦになる（Ｃ５５）。その後、ファクシミリ装置１は待機状態に戻り、ＬＣＤ１２５は現在時刻を表示する（Ｃ１０）。
【００６８】
なお、図５における「信号音／通信状態」と「バックライト発色」との関係は、図６に示す対応表によって対応付けられている。
図６（ａ）は検出した信号音とバックライト発色との対応表である。図６（ａ）に示すように交換機トーン信号は、ダイヤルトーン，リングバックトーン，ビジートーンの種類にかかわらず「赤」で発色する。同様に、ファックスＣＮＧ信号は「青」，ファックスＣＥＤ信号は「白」で発色する。また、例えばダイヤル１に対応するＤＴＭＦ信号は「赤」，ダイヤル２に対応するＤＴＭＦ信号は「水色」で発色する。
【００６９】
図６（ｂ）はファックスデータ解像度とバックライト発色との対応表である。図６（ｂ）に示すように、例えば解像度がファインの場合には「緑」で発色する。
図６（ｃ）はファックス通信速度とバックライト発色との対応表である。図６（ｃ）に示すように、例えば通信速度が１４４００ｂｐｓの場合には「白」で発色する。
【００７０】
図６（ｄ）は、回線信号音量とバックライト輝度との対応表である。図６（ｄ）に示すように、回線信号音量に応じて、輝度が０％から１００％まで２０％間隔で変化する。
尚、発光テーブル５３ａは、図６（ａ）〜（ｄ）に示すように、信号音・ファックスデータ解像度・ファックス通信速度の夫々とこれらに対応した色との組合せ、及び回線信号音量と回線信号音量に対応した輝度との組合せから構成されている。
【００７１】
また、実施形態１において、検出した信号音の種類は、図７に示すように信号音の周波数により判別している。
図７（ａ）は、信号音の種類と周波数との対応表である。図７（ａ）に示すように交換機トーン信号は、ダイヤルトーン，リングバックトーン，ビジートーンの種類にかかわらず周波数は４００Ｈｚであり（「周期」の欄に示すようにＯＮ／ＯＦＦの周期が異なる）、３８０〜４２０Ｈｚ（４００±２０Ｈｚ）の周波数範囲の信号音を交換機トーン信号として判別している。同様に、１０８０〜１１２０Ｈｚ（１１００±２０Ｈｚ）の周波数範囲の信号音をファックスＣＮＧ信号、２０８０〜２１２０Ｈｚ（２１００±２０Ｈｚ）の周波数範囲の信号音をファックスＣＥＤ信号として判別している。
【００７２】
ＤＴＭＦ信号は、音声周波数帯域の２つの周波数を組み合わせた信号であり、低群に属するＤＴＭＦ信号の周波数は６９７Ｈｚ，７７０Ｈｚ，８５２Ｈｚ，９４１Ｈｚの４つであり、高群に属するＤＴＭＦ信号の周波数は１２０９Ｈｚ，１３６６Ｈｚ，１４７７Ｈｚ，１６３３Ｈｚの４つである。これらの組み合わせによって、０〜９の数字、Ａ〜Ｄの英字、＊，＃の記号を表すことができる。
【００７３】
例えば、８３２〜８７２Ｈｚ（８５２±２０Ｈｚ）の周波数範囲の信号音をＤＴＭＦ低群３信号、１３１６〜１３５６Ｈｚ（１３３６±２０Ｈｚ）の周波数範囲の信号音をＤＴＭＦ高群２信号として判別している。
そして、ＤＴＭＦ低群３信号とＤＴＭＦ高群２信号の組み合わせの時は、図７（ｂ）に示すように「橙」で発色する。図７（ｂ）は、ＤＴＭＦ信号低群とＤＴＭＦ信号高群との組み合わせとバックライト発色との対応表である。表中における括弧内の文字は、低群と高群との組み合わせにより表される上述の数字，英字，記号を示す。
【００７４】
次に、図８を用いて、ＣＰＵ１８が実行するファックス送信処理について説明する。図８は、ファックス送信処理を表すフローチャートである。このファックス送信処理はファクシミリ装置１が起動（電源ＯＮ）している間に繰り返し実行される処理である。
【００７５】
このファックス送信処理を実行すると、ＣＰＵ１８は、まずＳ０１にて、ダイヤル入力処理を行う。
このダイヤル入力処理は、図９に示す手順で実行される。即ち、このダイヤル入力処理では、ＣＰＵ１８は、まずＳ１１にてスタートキー１２２が押し下げられたか否か判断する。ここで、スタートキー１２２が押し下げられたと判断すると（Ｓ１１：ＹＥＳ）、Ｓ１７においてＲＡＭ５２内に設けられたダイヤルバッファにダイヤルデータがあるか否か判断する。ここで、ダイヤルバッファにダイヤルデータがないと判断すると（Ｓ１７：ＮＯ）、Ｓ１１の処理を繰り返す。また、Ｓ１７においてダイヤルバッファにデータがあると判断すると（Ｓ１７：ＹＥＳ）、当該ダイヤル入力処理を終了する。
【００７６】
一方、Ｓ１１において、スタートキー１２２が押し下げられていないと判断すると（Ｓ１１：ＮＯ）、Ｓ１２に移行し、停止キー１２３が押し下げられたか否か判断する。ここで、停止キー１２３が押し下げられたと判断すると（Ｓ１２：ＹＥＳ）、Ｓ１８に移行し、ダイヤルバッファをクリアするとともにＬＣＤ１２５に待機画面を表示し（図５のＣ０１及びＣ１０を参照）、当該ダイヤル入力処理を終了する。
【００７７】
さらに、Ｓ１２において停止キー１２３が押し下げられていないと判断すると（Ｓ１２：ＮＯ）、Ｓ１３に移行し、１０キー１２１が押し下げられたか否か判断する。ここで、１０キー１２１が押し下げられていないと判断すると（Ｓ１３：ＮＯ）、Ｓ１１に移行し、上述の処理を繰り返す。
【００７８】
また、Ｓ１３において１０キー１２１が押し下げられたと判断すると（Ｓ１３：ＹＥＳ）、Ｓ１４に移行し、ダイヤルバッファがフルであるか否か判断する。そして、ダイヤルバッファがフルであると判断すると（Ｓ１４：ＹＥＳ）、Ｓ１１に移行し、上述の処理を繰り返す。一方、Ｓ１４において、ダイヤルバッファがフルでないと判断すると（Ｓ１４：ＮＯ）、Ｓ１５に移行する。
【００７９】
Ｓ１５では、押し下げられた１０キー１２１の数字に対応したダイヤルデータをダイヤルバッファに順次記憶する。そして、Ｓ１６においてＬＣＤ１２５に記憶されたダイヤルデータを表示した（図５のＣ０３参照）後に、Ｓ１１に移行し、上述の処理を繰り返す。
【００８０】
図８に戻り、Ｓ０１の処理が終了すると、Ｓ０２に移行し、ダイヤルバッファにダイヤルデータがあるか否か判断する。ここで、ダイヤルバッファにダイヤルデータがないと判断すると（Ｓ０２：ＮＯ）、当該ファックス送信処理を終了する。一方、Ｓ０２にてダイヤルバッファにダイヤルデータがあると判断すると（Ｓ０２：ＹＥＳ）、Ｓ０３に移行し、ファックス自動送信開始処理を行う。
【００８１】
このファックス自動送信開始処理は、図１０に示す手順で実行される。即ち、このファックス自動送信開始処理では、ＣＰＵ１８は、まずＳ２１にて、ＬＣＤ１２５に「ダイヤル中」のメッセージを表示する（図５のＣ０４参照）。そしてＳ２２に移行し、回線を閉結する（リレー７１を図４中点線で示すＢの位置に切り換える）とともに、回線のモニタをＯＮにする。回線のモニタをＯＮにするとは、公衆電話回線網１００から入力した信号音をスピーカ５７ａから出力できるように設定することをいう。さらに、Ｓ２３において、信号音を検出する指令をモデム５４に送信する。これにより、該指令を受信したモデム５４は信号音の周波数検出を開始する。その後、Ｓ２４に移行する。
【００８２】
Ｓ２４では、後述するバックライト変更処理を行い、Ｓ２５に移行する。そして、Ｓ２５において、回線を閉結してから３秒経過したか否か判断する。そして、回線を閉結してから３秒経過していないと判断すると（Ｓ２５：ＮＯ）、Ｓ２４に移行し、上述の処理を繰り返す。一方、Ｓ２５において、回線を閉結してから３秒経過したと判断すると（Ｓ２５：ＹＥＳ）、Ｓ２６に移行する。
【００８３】
Ｓ２６では、ダイヤルバッファに記憶されたダイヤルデータの送出が完了したか否か判断する。送出が完了していないと判断すると（Ｓ２６：ＮＯ）、Ｓ２７に移行し、ダイヤルバッファに記憶されたダイヤルデータの内、電話番号の１桁分を回線に送出する。つまり、モデム５４が、電話番号の該１桁分に対応するＤＴＭＦ低群信号とＤＴＭＦ高群信号を、ＮＣＵ５５を介して公衆電話回線網１００へ出力する。そして、Ｓ２８に移行し、後述するバックライト変更処理を行い、Ｓ２９に移行する。
【００８４】
Ｓ２９では、停止キー１２３が押し下げられたか否か判断する。そして、停止キー１２３が押し下げられていないと判断すると（Ｓ２９：ＮＯ）、Ｓ２６に移行し、上述の処理を繰り返す。一方、Ｓ２９において、停止キー１２３が押し下げられたと判断すると（Ｓ２９：ＹＥＳ）、Ｓ３０に移行し、ＲＡＭ５２内に設けられた送信停止指示フラグをセットする。
【００８５】
そして、Ｓ３２に移行し、回線を開放し（リレー７１を図４中実線で示すＡの位置に切り換える）、回線のモニタをＯＦＦにする。つまり、公衆電話回線網１００から入力した信号音はスピーカ５７ａから出力されなくなる。
さらに、Ｓ３３において、バックライト部５６をＯＦＦにして、当該ファックス自動送信開始処理を終了する。
【００８６】
一方、Ｓ２６において、ダイヤルバッファに記憶されたデータの送出が完了したと判断すると（Ｓ２６：ＹＥＳ）、Ｓ３４に移行して、ＣＮＧ信号の送出を開始する。そしてＳ３５に移行し、後述するバックライト変更処理を行う。
その後、Ｓ３６において、ＣＥＤ信号を検出したか否かを判断する。ここで、ＣＥＤ信号を検出したと判断すると（Ｓ３６：ＹＥＳ）、Ｓ３１に移行して、ＲＡＭ５２内に設けられたファックス送信指示フラグをセットする。その後、上述したＳ３２とＳ３３の処理を行い、当該ファックス自動送信開始処理を終了する。
【００８７】
一方、Ｓ３６において、ＣＥＤ信号を検出していないと判断すると（Ｓ３６：ＮＯ）、Ｓ３７に移行し、停止キー１２３が押し下げられたか否か判断する。そして、停止キー１２３が押し下げられたと判断すると（Ｓ３７：ＹＥＳ）、Ｓ３０に移行して、上述したＳ３０，Ｓ３２，Ｓ３３の処理を行い、当該ファックス自動送信開始処理を終了する。
【００８８】
また、Ｓ３７において、停止キー１２３が押し下げられていないと判断すると（Ｓ３７：ＮＯ）、Ｓ３８に移行して、ＣＮＧ信号の送出開始から規定時間経過したか否か判断する。ここで、規定時間経過していないと判断すると、Ｓ３５に移行して上述の処理を繰り返す。一方、規定時間経過したと判断すると（Ｓ３８：ＹＥＳ）、Ｓ３９に移行し、ＲＡＭ５２内に設けられた応答無し指示フラグをセットし、Ｓ３２に移行して、上述したＳ３２とＳ３３の処理を行い、当該ファックス自動送信開始処理を終了する。
【００８９】
次に、図１０におけるＳ２４，Ｓ２８，Ｓ３５において行われるバックライト変更処理を、図１１および図１２を用いて説明する。図１１はバックライト変更処理の前半部分，図１２はバックライト変更処理の後半部分を表すフローチャートである。
【００９０】
このバックライト変更処理を実行すると、ＣＰＵ１８は、まずＳ４１にて、ＲＡＭ５２内に設けられた信号検出フラグを全てクリアする。この信号検出フラグは、どの種類の信号音を検出したかを示すもので、トーン信号検出フラグ，ＣＮＧ信号検出フラグ，ＣＥＤ信号検出フラグ，ＤＴＭＦ低群１〜４信号検出フラグ，ＤＴＭＦ高群１〜４信号検出フラグが設けられている。
【００９１】
そして、Ｓ４２に移行し、モデム５４にて検出した信号音の周波数を取得する。
その後、Ｓ４３において、取得した周波数が交換機トーン信号の検出周波数範囲内にあるか否か判断する（各信号音の検出周波数については図７（ａ）参照）。交換機トーン信号の検出周波数範囲内にあると判断すると（Ｓ４３：ＹＥＳ）、Ｓ４４に移行し、ＲＡＭ５２内に設けられたトーン信号検出フラグをセットし、Ｓ４６に移行する。一方、交換機トーン信号の検出周波数範囲内にないと判断すると（Ｓ４３：ＮＯ）、Ｓ４５に移行し、トーン信号検出フラグをクリアし、Ｓ４６に移行する。
【００９２】
Ｓ４６では、取得した周波数がＣＮＧ信号の検出周波数範囲内にあるか否か判断する。ＣＮＧ信号の検出周波数範囲内にあると判断すると（Ｓ４６：ＹＥＳ）、Ｓ４７に移行し、ＲＡＭ５２内に設けられたＣＮＧ信号検出フラグをセットし、Ｓ４９に移行する。一方、ＣＮＧ信号の検出周波数範囲内にないと判断すると（Ｓ４６：ＮＯ）、Ｓ４８に移行し、ＣＮＧ信号検出フラグをクリアし、Ｓ４９に移行する。
【００９３】
Ｓ４９では、取得した周波数がＣＥＤ信号の検出周波数範囲内にあるか否か判断する。ＣＥＤ信号の検出周波数範囲内にあると判断すると（Ｓ４９：ＹＥＳ）、Ｓ５０に移行し、ＲＡＭ５２内に設けられたＣＥＤ信号検出フラグをセットし、Ｓ５２に移行する。一方、ＣＥＤ信号の検出周波数範囲内にないと判断すると（Ｓ４９：ＮＯ）、Ｓ５１に移行し、ＣＥＤ信号検出フラグをクリアし、Ｓ５２に移行する。
【００９４】
Ｓ５２では、取得した周波数がＤＴＭＦ低群１信号の検出周波数範囲内にあるか否か判断する。ＤＴＭＦ低群１信号の検出周波数範囲内にあると判断すると（Ｓ５２：ＹＥＳ）、Ｓ５３に移行し、ＲＡＭ５２内に設けられたＤＴＭＦ低群１信号検出フラグをセットし、Ｓ６４に移行する。一方、ＤＴＭＦ低群１信号の検出周波数範囲内にないと判断すると（Ｓ５２：ＮＯ）、Ｓ５４に移行し、ＤＴＭＦ低群１信号検出フラグをクリアし、Ｓ５５に移行する。
【００９５】
Ｓ５５では、取得した周波数がＤＴＭＦ低群２信号の検出周波数範囲内にあるか否か判断する。ＤＴＭＦ低群２信号の検出周波数範囲内にあると判断すると（Ｓ５５：ＹＥＳ）、Ｓ５６に移行し、ＲＡＭ５２内に設けられたＤＴＭＦ低群２信号検出フラグをセットし、Ｓ６４に移行する。一方、ＤＴＭＦ低群２信号の検出周波数範囲内にないと判断すると（Ｓ５５：ＮＯ）、Ｓ５７に移行し、ＤＴＭＦ低群２信号検出フラグをクリアし、Ｓ５８に移行する。
【００９６】
Ｓ５８では、取得した周波数がＤＴＭＦ低群３信号の検出周波数範囲内にあるか否か判断する。ＤＴＭＦ低群３信号の検出周波数範囲内にあると判断すると（Ｓ５８：ＹＥＳ）、Ｓ５９に移行し、ＲＡＭ５２内に設けられたＤＴＭＦ低群３信号検出フラグをセットし、Ｓ６４に移行する。一方、ＤＴＭＦ低群３信号の検出周波数範囲内にないと判断すると（Ｓ５８：ＮＯ）、Ｓ６０に移行し、ＤＴＭＦ低群３信号検出フラグをクリアし、Ｓ６１に移行する。
【００９７】
Ｓ６１では、取得した周波数がＤＴＭＦ低群４信号の検出周波数範囲内にあるか否か判断する。ＤＴＭＦ低群４信号の検出周波数範囲内にあると判断すると（Ｓ６１：ＹＥＳ）、Ｓ６２に移行し、ＲＡＭ５２内に設けられたＤＴＭＦ低群４信号検出フラグをセットし、Ｓ６４に移行する。一方、ＤＴＭＦ低群４信号の検出周波数範囲内にないと判断すると（Ｓ６１：ＮＯ）、Ｓ６３に移行し、ＤＴＭＦ低群４信号検出フラグをクリアし、Ｓ６４に移行する。
【００９８】
Ｓ６４では、取得した周波数がＤＴＭＦ高群１信号の検出周波数範囲内にあるか否か判断する。ＤＴＭＦ高群１信号の検出周波数範囲内にあると判断すると（Ｓ６４：ＹＥＳ）、Ｓ６５に移行し、ＲＡＭ５２内に設けられたＤＴＭＦ高群１信号検出フラグをセットし、Ｓ７６に移行する。一方、ＤＴＭＦ高群１信号の検出周波数範囲内にないと判断すると（Ｓ６４：ＮＯ）、Ｓ６６に移行し、ＤＴＭＦ高群１信号検出フラグをクリアし、Ｓ６７に移行する。
【００９９】
Ｓ６７では、取得した周波数がＤＴＭＦ高群２信号の検出周波数範囲内にあるか否か判断する。ＤＴＭＦ高群２信号の検出周波数範囲内にあると判断すると（Ｓ６７：ＹＥＳ）、Ｓ６８に移行し、ＲＡＭ５２内に設けられたＤＴＭＦ高群２信号検出フラグをセットし、Ｓ７６に移行する。一方、ＤＴＭＦ高群２信号の検出周波数範囲内にないと判断すると（Ｓ６７：ＮＯ）、Ｓ６９に移行し、ＤＴＭＦ高群２信号検出フラグをクリアし、Ｓ７０に移行する。
【０１００】
Ｓ７０では、取得した周波数がＤＴＭＦ高群３信号の検出周波数範囲内にあるか否か判断する。ＤＴＭＦ高群３信号の検出周波数範囲内にあると判断すると（Ｓ７０：ＹＥＳ）、Ｓ７１に移行し、ＲＡＭ５２内に設けられたＤＴＭＦ高群３信号検出フラグをセットし、Ｓ７６に移行する。一方、ＤＴＭＦ高群３信号の検出周波数範囲内にないと判断すると（Ｓ７０：ＮＯ）、Ｓ７２に移行し、ＤＴＭＦ高群３信号検出フラグをクリアし、Ｓ７３に移行する。
【０１０１】
Ｓ７３では、取得した周波数がＤＴＭＦ高群４信号の検出周波数範囲内にあるか否か判断する。ＤＴＭＦ高群４信号の検出周波数範囲内にあると判断すると（Ｓ７３：ＹＥＳ）、Ｓ７４に移行し、ＲＡＭ５２内に設けられたＤＴＭＦ高群４信号検出フラグをセットし、Ｓ７６に移行する。一方、ＤＴＭＦ高群４信号の検出周波数範囲内にないと判断すると（Ｓ７３：ＮＯ）、Ｓ７５に移行し、ＤＴＭＦ高群４信号検出フラグをクリアし、Ｓ７６に移行する。
【０１０２】
そして、Ｓ７５に処理を移し、バックライト発色判定処理を行う。
このバックライト発色判定処理は、図１３に示す手順で実行される。即ち、このバックライト発色判定処理では、ＣＰＵ１０１は、まずＳ９１にて、ＲＡＭ５２内に設けられた発色パターンフラグを全てクリアする。この発色パターンフラグは、バックライト部５６がどの色で発光するかを指示するもので、図６（ａ）に示される信号音とバックライト発光色に対応して、「赤」，「青」，「白」，「水色」，「紺」，「黄」，「紫」，「茶」，「緑」，「橙」，「黄緑」，「桃色」発色パターンフラグが設けられている。
【０１０３】
そして、Ｓ９２に移行し、図７（ｂ）のように構成されたＤＴＭＦ低群信号検出フラグとＤＴＭＦ高群信号検出フラグの組み合わせによりダイヤル数字を判別し、該ダイヤル数字に対応する色の発色パターンフラグを、発光テーブル５３ａを参照してセットする。
【０１０４】
例えば、ＤＴＭＦ低群３信号検出フラグとＤＴＭＦ高群２信号検出フラグとがセットされている場合には、ダイヤル数字は「８」と判別されるので、発光テーブル５３ａを参照して「橙」発色パターンフラグがセットされる。
次にＳ９３において、ＣＮＧ信号検出フラグがセットされているか否か判断する。ＣＮＧ信号検出フラグがセットされていると判断すると（Ｓ９３：ＹＥＳ）、Ｓ９４において、ＲＡＭ５２内に設けられた「青」発色パターンフラグをセットし、Ｓ９５に移行する。一方、ＣＮＧ信号検出フラグがセットされていないと判断すると（Ｓ９３：ＮＯ）、Ｓ９５に移行する。
【０１０５】
Ｓ９５ではＣＥＤ信号検出フラグがセットされているか否か判断する。ＣＥＤ信号検出フラグがセットされていると判断すると（Ｓ９５：ＹＥＳ）、Ｓ９６において、ＲＡＭ５２内に設けられた「白」発色パターンフラグをセットし、Ｓ９７に移行する。一方、ＣＥＤ信号検出フラグがセットされていないと判断すると（Ｓ９５：ＮＯ）、Ｓ９７に移行する。
【０１０６】
Ｓ９７ではトーン信号検出フラグがセットされているか否か判断する。トーン信号検出フラグがセットされていると判断すると（Ｓ９７：ＹＥＳ）、Ｓ９８において、ＲＡＭ５２内に設けられた「赤」発色パターンフラグをセットし、当該バックライト発色判定処理を終了する。一方、トーン信号検出フラグがセットされていないと判断すると（Ｓ９７：ＮＯ）、当該バックライト発色判定処理を終了する。
【０１０７】
そして、図１２のバックライト変更処理に戻り、Ｓ７６のバックライト発色判定処理が終了すると、Ｓ７７において、発色パターンフラグが全てクリアされているか否か判断する。発色パターンフラグが全てクリアされていないと判断すると（Ｓ７７：ＮＯ）、Ｓ７８において、回線電流検出部６０により回線電流を検出して、その電流量を取得する。
【０１０８】
そして、Ｓ７９において、取得した電流量に応じて、ＲＡＭ５２内に設けられた輝度レベルフラグをセットする。ここでは、「１」が最低レベル、「６」が最高レベルを示す６段階のレベルに電流量を分類し、それに対応して輝度レベル１〜６フラグが設けられている。例えば、取得した電流量のレベルを判定し、レベルが３であると判定されたら、輝度レベル３フラグをセットする。さらに、セットされている輝度レベルフラグと発光テーブル５３ａを参照して、ＲＡＭ５２内に設けられた輝度情報記憶領域に輝度を設定する。
【０１０９】
例えば、図６（ｄ）に示す回線信号音量とバックライト輝度との対応表において、輝度レベル３は「普通」の回線信号音量に対応するので、輝度情報記憶領域に「４０％」に対応した値が設定される。
次にＳ８０に移行し、セットされている発色パターンフラグの１つを選択して、輝度情報記憶領域に設定された値に対応した輝度と、選択した発色パターンフラグを示す色でバックライト部５６を０．２秒間発色させる。そして、Ｓ８１に移行し、発色させた色に対応する発色パターンフラグをクリアする。
【０１１０】
その後、Ｓ８２に移行し、発色パターンフラグが全てクリアされているか否か判断する。発色パターンフラグが全てクリアされていないと判断すると（Ｓ８２：ＮＯ）、Ｓ７８に移行し、上述の処理を繰り返す。一方、発色パターンフラグが全てクリアされていると判断すると（Ｓ８２：ＹＥＳ）、当該バックライト変更処理を終了する。
【０１１１】
一方、Ｓ７７において、発色パターンフラグが全てクリアされていると判断すると（Ｓ７７：ＹＥＳ）、Ｓ８３において、バックライト部５６をＯＦＦにし、当該バックライト変更処理を終了する。
そして図８のファックス送信開始処理に戻り、Ｓ０３の処理が終了すると、Ｓ０４において、ファックス送信指示フラグがセットされているか否かを判断する。ここで、ファックス送信指示フラグがセットされていると判断すると（Ｓ０４：ＹＥＳ）、Ｓ０５に処理を移し、後述するファックス自動送信処理を行い、さらにＳ０９において、ファックス送信指示フラグと応答無し指示フラグと送信停止指示フラグをクリアして、当該ファックス送信開始処理を終了する。
【０１１２】
一方、Ｓ０４にてファックス送信指示フラグがセットされていないと判断すると（Ｓ０４：ＮＯ）、Ｓ０６に移行し、応答無し指示フラグがセットされているか否か判断する。ここで、応答無し指示フラグがセットされていると（Ｓ０６：ＹＥＳ）、Ｓ０７に移行してＬＣＤ１２５に「送信エラー」メッセージを表示し、さらに上述のＳ０９の処理を行った後に、当該ファックス送信処理を終了する。
【０１１３】
また、Ｓ０６にて、応答無し指示フラグがセットされていないと判断、つまり送信停止指示フラグがセットされていると判断すると（Ｓ０６：ＮＯ）、Ｓ０８に移行してＬＣＤ１２５に待機画面を表示し、さらに上述のＳ０９の処理を行った後に当該ファックス送信処理を終了する。
【０１１４】
次に、図８におけるＳ０５において行われるファックス自動送信処理を、図１４を用いて説明する。図１４はファックス自動送信処理を表すフローチャートである。
このファックス自動送信処理を実行すると、ＣＰＵ１８は、まずＳ１０１にて、送信先ファクシミリ装置とネゴシエーションを行い、送信先ファクシミリ装置の受信能力とファクシミリ送信する画像データとから最適な通信速度と解像度を決定する。そして、決定された通信速度と解像度を示す情報を、ＲＡＭ５２内に設けられた通信速度記憶領域と解像度記憶領域にそれぞれ格納する。
【０１１５】
そしてＳ１０２に移行し、解像度記憶領域に格納された解像度を示す情報と発光テーブル５３ａとを参照し、解像度に対応する色の発色パターンフラグをセットし、さらに発色パターンフラグに対応した色でバックライト部５６を発色させる。
【０１１６】
その後Ｓ１０３に移行し、スキャナ部１６において原稿を読み取り、Ｓ１０４において、通信速度記憶領域に格納された通信速度情報に従った通信速度と、解像度記憶領域に格納された解像度情報に従った解像度で、スキャナ部１６において読み取った画像データを送信先のファクシミリ装置に送信する。
【０１１７】
そして、Ｓ１０５において、ＲＡＭ５２に格納されている送信用ファクシミリデータが単位時間当たりに送信されるデータ量を検出することにより通信速度を算出し、さらにＳ１０６において、算出した通信速度と発光テーブル５３ａとを参照して通信速度に対応する色の発色パターンフラグをセットし、発色パターンフラグに対応した色でバックライト部５６を発色させる。
【０１１８】
次にＳ１０７に移行し、全ての原稿を読み取ったか否か判断する。全ての原稿を読み取っていないと判断すると（Ｓ１０７：ＮＯ）、Ｓ１０８において送信先のファクシミリ装置にもう１ページあるという情報を送信し、その後にＳ１０３に移行し、上述の処理を繰り返す。一方、全ての原稿を読み取ったと判断すると（Ｓ１０７：ＹＥＳ）、１０９において送信先のファクシミリ装置に最終ページであるという情報を送信し、さらにＳ１１０において送信先のファクシミリ装置に切断コマンドを送信する。
【０１１９】
その後にＳ１１１に移行し、バックライト部５６をＯＦＦにし、さらにＳ１１２において回線を開放し、当該ファックス自動送信処理を終了する。
次に、図１５を用いて、ＣＰＵ１８が実行する発光テーブル印刷処理について説明する。図１５は、発光テーブル印刷処理を表すフローチャートである。この発光テーブル印刷処理はファクシミリ装置１が起動（電源ＯＮ）している間に繰り返し実行される処理である。
【０１２０】
この発光テーブル印刷処理を実行すると、ＣＰＵ１８は、まずＳ１２１にて、操作パネル１２から発光テーブル印刷指令が送信されるまで待機し、発光テーブル印刷指令が送信されたと判断すると（Ｓ１２１：ＹＥＳ）、Ｓ１２２に移行し、Ｅ２ＰＲＯＭ５３が記憶する発光テーブル５３ａを読み出し、その発光テーブル５３ａのリストを記録部１７により用紙に印刷する。そして、当該発光テーブル印刷処理を終了する。尚、ここで印刷されるリストは、概ね図６（ａ）〜（ｄ）に示した形態で表示される。
【０１２１】
次に、図１６を用いて、ＣＰＵ１８が実行する発光テーブル設定処理について説明する。図１６は、発光テーブル設定処理を表すフローチャートである。この発光テーブル設定処理はファクシミリ装置１が起動（電源ＯＮ）している間に繰り返し実行される処理である。
【０１２２】
この発光テーブル設定処理を実行すると、ＣＰＵ１８は、まずＳ１３１にて、操作パネル１２から発光テーブル設定開始指令が送信されるまで待機し、発光テーブル設定開始指令が送信されたと判断すると（Ｓ１３１：ＹＥＳ）、操作パネル１２に設けられたＬＣＤ１２５に、発光テーブル設定情報を入力するための画面を表示する（Ｓ１３２）。
【０１２３】
この後、ＣＰＵ１８は、Ｓ１３３において、発光テーブル設定情報の入力が完了したことを示す発光テーブル設定完了指令を操作パネル１２から受信するまで待機する。
そして、発光テーブル設定完了指令を受信すると発光テーブル設定情報の入力が完了したと判断して（Ｓ１３３：ＹＥＳ）、Ｓ１３４において、利用者の外部操作により操作パネル１２から入力された発光テーブル設定情報を表すデータをＥ２ＰＲＯＭ５３に記憶されている発光テーブル５３ａに格納し、当該発光テーブル設定処理を終了する。
【０１２４】
尚、発光テーブル５３ａの設定を変更するための具体的な操作方法は、例えばトーン信号に対応するバックライト発色を変更する場合には、選択キー１２３を操作することにより、ＬＣＤ１２５の画面上にトーン信号とトーン記号に対応した色が記載された画面を選択する（図１７参照）。その後、トーン信号の選択画面を前後にスクロールさせる。例えば、後にスクロールさせると図１７に示すように、順次「赤」→「黄」→「緑」・・・と変化するので、希望の色が表示されたところで選択キー１２３を操作することで、トーン信号に対応するバックライト発色を希望の色に設定することができる。ＣＮＧ信号，ＣＥＤ信号，ＤＴＭＦ信号，解像度，通信速度なども同様な方法でバックライト発色を変更することができる。
【０１２５】
［本発明との対応関係］
以上説明した実施形態１において、バックライト部５６は本発明における発光手段、ＮＣＵ５５は本発明における通信手段およびファクシミリ通信手段である。
【０１２６】
また、図１１におけるＳ４１〜Ｓ５１の処理は本発明における第１検出手段、図１２におけるＳ７８の処理は本発明における第２検出手段、図１１と図１２におけるＳ４１〜Ｓ４２およびＳ５２〜Ｓ７５の処理は本発明における第３検出手段、図１４のＳ１０１およびＳ１０４の処理は本発明における第４検出手段として機能している。
【０１２７】
また、図１３におけるＳ９３〜Ｓ９８の処理，図１２におけるＳ８０の処理及び図１６における発光テーブル設定処理は本発明における第１制御手段、図１２におけるＳ７９およびＳ８０の処理は本発明における第２制御手段、図１３におけるＳ９２の処理および図１２におけるＳ８０の処理は本発明における第３制御手段、図１４におけるＳ１０２およびＳ１０６の処理は本発明における第４制御手段として機能している。
【０１２８】
また、図１５における発光テーブル設定処理は本発明における印刷手段として機能している。
［効果］
このように構成されたファクシミリ装置１によれば、相手側ファクシミリ装置２へ発呼してから、ファクシミリ装置２から該発呼に対する応答を受信するまでのＮＣＵ５５に入力する信号音を図１１におけるＳ４１〜Ｓ５１の処理により検出し、図１３におけるＳ９３〜Ｓ９８の処理および図１２におけるＳ８０の処理により、その信号音種類に応じて、発光テーブル５３ａにおいて設定されている色でバックライト部５６を発光させる。
【０１２９】
このため、ファクシミリ装置１の利用者は、ファクシミリ装置１のそばにいなくてもファクシミリ装置１が見える位置にいれば、バックライト部５６が発光している色の違いによって、ファクシミリ装置２へ発呼してからファクシミリ装置２から応答を受信するまでの通信状態を把握できる。さらに、ＮＣＵ５５に入力する信号音を検出する手段を後付けすることができるので、通信状態に応じてバックライト部５６を発光させる機能を、後付けの場合でも比較的簡便に実現できる。
【０１３０】
また、図１１および図１２で示されるバックライト変更処理は、ファクシミリ送信中に繰り返し実行しているため、ファクシミリ装置１の利用者は、リアルタイムで通信状態を把握できる。
また、図１２におけるＳ７９およびＳ８０の処理によって、図１２におけるＳ７８の処理により検出した信号音のレベルに応じて、発光テーブル５３ａおいて設定されている輝度でバックライト部５６が発光するため、ファクシミリ装置１の利用者は、良好なレベルの信号音により通信が行われているか否かを輝度の違いにより把握できる。
【０１３１】
また、図１３におけるＳ９２の処理および図１２におけるＳ８０の処理によって、図１１と図１２におけるＳ４１〜Ｓ４２およびＳ５２〜Ｓ７５の処理により検出したＤＴＭＦ信号音種類に応じて、発光テーブル５３ａにおいて設定されている色でバックライト部５６が発光するため、周囲が騒がしいときでも、電話番号情報が公衆電話回線網１００へ送出されていることを把握できる。
【０１３２】
また、図１１におけるＳ４１〜Ｓ５１の処理および図１１と図１２におけるＳ４１〜Ｓ４２とＳ５２〜Ｓ７５の処理では、ＮＣＵ５５に入力する信号音の周波数を検出することにより信号音の種類を判別するため、交換機トーン信号，ＣＮＧ信号，ＣＥＤ信号，ＤＴＭＦ信号を判別できる。
【０１３３】
また、図１４におけるＳ１０２の処理によって、図１４におけるＳ１０１の処理により検出した解像度に応じて、発光テーブル５３ａおいて設定されている色でバックライト部５６が発光するため、ファクシミリ装置１の利用者は、ファクシミリ装置１のそばにいなくてもファクシミリ装置１が見える位置にいれば、バックライト部５６が発光している色の違いによって、画像データを通信しているときの解像度を把握できる。
【０１３４】
また、図１４におけるＳ１０６の処理によって、図１４におけるＳ１０５の処理により検出した通信速度に応じて、発光テーブル５３ａおいて設定されている色でバックライト部５６が発光するため、ファクシミリ装置１の利用者は、バックライト部５６が発光している色の違いによって、画像データを通信しているときの通信速度を把握できる。
【０１３５】
また、図１５における発光テーブル設定処理によって、発光テーブル５３ａの内容を用紙に印刷することができるため、ファクシミリ装置１の利用者は、用紙に印刷された通信状態に応じた発光状態の内容を参照して、発光状態から通信状態を把握できる。
【０１３６】
また、図１６における発光テーブル設定処理によって、発光テーブル５３ａの設定を変更することができるため、発光テーブル５３ａの設定を、利用者が把握しやすいように、または利用者の好みに応じて変更できる。
［変形例］
以上、本発明の実施の形態について説明したが、本発明の実施の形態は上記実施の形態に何ら限定されることなく、本発明の技術的範囲に属する限り種々の形態をとり得ることはいうまでもない。
【０１３７】
電話通話中の保留音についても、相手の保留音のパターンを認識学習して、その結果を相手先と対応付けて記憶するようにして、その記憶内容と相手からの保留音とを比較して、相手先を表示するようにしてもよい。
また、上記実施形態においては、レーザープリンティングにて画像を形成する例を挙げて説明したが、画像形成装置は、インクジェットやサーマルトランスファ方式のプリンティングにて画像を形成するようにしたり、モノクロに代えてカラーで画像を形成する構成であっても良い。
【０１３８】
また、上記実施形態においては、信号音の種類に応じてバックライト色を変え、回線電流量に応じてバックライト輝度を変えるものを例示した。しかし、図１８（ａ）に示すように信号音の種類に応じてバックライト輝度を変え、図１８（ｂ）に示すように信号音の種類に応じてバックライト輝度を変え、回線電流量に応じてバックライト色を変えるように構成してもよい。
【０１３９】
また、上記実施形態においては、図８〜図１６に示した処理が、ファクシミリ装置１に備えられたＣＰＵ１８により実行されるように構成されたものを例示した。しかし、これらの処理が、ファクシミリ装置１に有線・無線の信号伝送路で接続された別のコンピュータシステムにより実行されるように構成してもよい。
【０１４０】
また、ＥＣＭ通信，非ＥＣＭ通信や、符号化方式（ＭＨ，ＭＲ，ＭＭＲ，ＪＢＩＧ，・・・）や、ラインスピード（ｌ／ｍｓ）などを判別して表示するようにしてもよい。更に、通信の成功・失敗、符号の復号時エラーの状態、ＥＣＭ通信の再送の状況などを表示するようにしてもよい。
【図面の簡単な説明】
【図１】実施の形態におけるファクシミリ装置の外部構成を表す概略斜視図。
【図２】実施の形態におけるファクシミリ装置の内部構成を表す説明図。
【図３】実施の形態におけるファクシミリ装置の電気的構成を表すブロック図。
【図４】実施の形態におけるＮＣＵの内部構成を表す回路図。
【図５】実施の形態におけるバックライト部発光処理を表す概要説明図。
【図６】実施の形態における「信号音／通信状態」とバックライト発色の対応を説明する図。
【図７】実施の形態における信号音と検出周波数の対応を説明する図。
【図８】実施の形態におけるファックス送信処理手順を示すフローチャート。
【図９】実施の形態におけるダイヤル入力処理手順を示すフローチャート。
【図１０】実施の形態におけるファックス自動送信開始処理手順を示すフローチャート。
【図１１】実施の形態におけるバックライト変更処理手順の前半部分を示すフローチャート。
【図１２】実施の形態におけるバックライト変更処理手順の後半部分を示すフローチャート。
【図１３】実施の形態におけるバックライト発色判定処理手順を示すフローチャート。
【図１４】実施の形態におけるファックス自動送信処理手順を示すフローチャート。
【図１５】実施の形態における発光テーブル印刷処理手順を示すフローチャート。
【図１６】実施の形態における発光テーブル設定処理手順を示すフローチャート。
【図１７】実施の形態における発光テーブル設定手順を説明する図。
【図１８】別の実施の形態における信号音とバックライト発色の対応を説明する図。
【符号の説明】
１，２…ファクシミリ装置、１０…本体ケース、１１…ハンドセット、１２…操作パネル、１３，１４，１５…給紙トレイ、１６…スキャナ部、１７…記録部、１８…ＣＰＵ、１９，２７…給紙ローラ、２０，２８…分離パッド、２１，２９…搬送ローラ、２２…読取装置、２３，３２…排紙ローラ、２４，３３…排紙トレイ、２５，２６…センサ、３０…画像形成装置、３１…定着装置、３４…レーザ光走査装置、３５…トナータンク、３６…転写ローラ、３７…レーザ発光部、３８…レンズ、３９…反射ミラー、５１…ＲＯＭ、５２…ＲＡＭ、５３…Ｅ２ＰＲＯＭ、５４…モデム、５５…ＮＣＵ、５６…バックライト部、５７…音声入出力部、５８…クロスポイントスイッチ、５９…バス、６０…回線電流検出部、７１…リレー、７２，７６…トランス、７３，７４…アンプ、７５…コンデンサ、７７…ダイヤルパルス送出回路、７８…モジュラコネクタ、１００…公衆電話回線網。
【図１】
2004304299.tif 000003
【図２】
2004304299.tif 000004
【図３】
2004304299.tif 000005
【図４】
2004304299.tif 000006
【図５】
2004304299.tif 000007
【図６】
2004304299.tif 000008
【図７】
2004304299.tif 000009
【図８】
2004304299.tif 000010
【図９】
2004304299.tif 000011
【図１０】
2004304299.tif 000012
【図１１】
2004304299.tif 000013
【図１２】
2004304299.tif 000014
【図１３】
2004304299.tif 000015
【図１４】
2004304299.tif 000016
【図１５】
2004304299.tif 000017
【図１６】
2004304299.tif 000018
【図１７】
2004304299.tif 000019
【図１８】
2004304299.tif 000020